(57)【要約】【課題】本発明は、ロータの回転数が好ましくない高速回転域に達したことを釣人に容易に知らせることができ、ロータの回転数を実際の釣り状況や魚とのやり取りに適した値に適宜調節できる魚釣用スピニングリールを得ることにある。【解決手段】魚釣用スピニングリール1は、釣糸を巻き付けるスプール25を支持するリール本体2と、リール本体2に支持され、スプール25から釣糸を繰り出す方向およびスプール25に釣糸を巻き付ける方向に回転自在なロータ14とを備えている。ロータ14が予め決められた回転数を上回る高速回転域に達した時に警報発生手段50を介して警報を発し、釣人にロータ14が好ましくない回転状況にあることを報知する。【選択図】      図１
2008136397.tif 000002
【特許請求の範囲】
【請求項１】
釣糸を巻き付けるスプールを支持するリール本体と、
上記リール本体に支持され、上記スプールから釣糸を繰り出す方向および上記スプールに釣糸を巻き付ける方向に回転自在なロータと、
上記ロータが予め決められた回転数を上回る高速回転域に達した時に警報を発する警報発生手段と、を具備することを特徴とする魚釣用スピニングリール。
【請求項２】
請求項１の記載において、上記警報発生手段は、上記ロータに支持された移動部材を含み、この移動部材は、上記ロータの回転に伴う遠心力を受けた時に上記スプールに向けて移動するとともに、上記移動部材が上記スプールに接触することで上記ロータの回転数が高すぎることを示す警報音を発することを特徴とする魚釣用スピニングリール。
【請求項３】
請求項１の記載において、上記警報発生手段は、上記ロータに支持された移動部材を含み、この移動部材は、上記ロータの回転に伴う遠心力を受けた時に上記リール本体に向けて移動するとともに、上記移動部材が上記リール本体に接触することで、上記ロータの回転数が高すぎることを示す警報音を発することを特徴とする魚釣用スピニングリール。
【請求項４】
請求項２又は請求項３の記載において、上記移動部材は、上記ロータが釣糸を繰り出す方向に逆回転された時の遠心力を受けて移動することを特徴とする魚釣用スピニングリール。
【請求項５】
人為的に操作される釣糸巻き取り用のハンドルを有するリール本体と、
上記リール本体に支持されたスプールと、
上記スプールに対し回転可能に上記リール本体に支持され、上記ハンドルの操作に追従して釣糸を上記スプールに巻き付ける方向に回転するロータと、
上記ロータが予め決められた回転数を上回る高速回転域に達した時に、上記ロータの回転に伴う遠心力を受けて上記ロータから上記スプール又は上記リール本体に向けて移動する移動部材を有し、この移動部材を上記スプール又は上記リール本体に接触させることで上記ロータの回転数が高すぎることを示す警報音を発する警報発生手段と、を具備することを特徴とする魚釣用スピニングリール。
【請求項６】
請求項５の記載において、上記移動部材は、上記ロータが釣糸を上記スプールに巻き付ける方向とは逆方向に回転された時の遠心力を受けて移動することを特徴とする魚釣用スピニングリール。
【発明の詳細な説明】
【技術分野】
【０００１】
本発明は、釣糸をスプールに巻き付ける正方向および釣糸をスプールから繰り出す逆方向に回転可能なロータを有する魚釣用スピニングリールに係り、特にロータが予め決められた回転数を上回る回転数で逆回転した時に、このことを釣人に認識させる構造に関する。
【背景技術】
【０００２】
魚釣用スピニングリールは、釣糸を巻き付けるスプールと、ハンドルの操作に追従して回転するロータとを備えている。ロータは、リール本体側に位置する基端からスプールに向けて突出する一対のアーム部を有し、これらアーム部の先端の間にベールを含む釣糸案内機構が反転可能に支持されている。
【０００３】
この種の魚釣用スピニングリールは、例えばロータの逆回転を防ぐストッパー機構をＯＦＦにしたままベールを起こして仕掛けを投擲した時に、誤ってベールを釣糸巻取り状態に復帰させてしまうと、釣糸の繰り出しに追従してロータが高速で逆回転する現象が生じる。
【０００４】
ロータが急激に逆回転するような場合、ロータの基端から突出するアーム部の付け根の部分や、釣糸案内機構を支持するアーム部の先端に衝撃的な応力集中が発生するのを避けられない。この結果、ロータのアーム部が破損し易くなり、ロータの交換を余儀なくされるといった不具合がある。
【０００５】
この対策として、従来、ロータが高速で逆回転した時に、このロータの回転に伴う遠心力を受けて移動する制動部材を設けた魚釣用スピニングリールが知られている。制動部材は、遠心力を受けた時にロータからスプール又はリール本体に向けて移動するとともに、その先端がスプール又はリール本体に押し付けられる。
【０００６】
この結果、ロータに制動力が付加され、ロータの過度の高速回転を抑制できるとともに、ロータのアーム部に加わる負荷を軽減してアーム部の損傷を防止することができる（例えば、特許文献１参照）。
【特許文献１】特開２００６−１２１９７４号公報
【発明の開示】
【発明が解決しようとする課題】
【０００７】
特許文献１によると、ロータが予め決められた回転数を上回るような高速回転域に達した時に、ロータに自動的に制動力が付加されるので、釣人はロータの回転を気にすることなく魚釣に集中することができる。
【０００８】
ところが、その反面、ロータの回転数の上昇が抑えられるので、釣人は釣りの最中にロータが高速回転域に移行した状況や理由を知ることができない。そのため、釣りの最中にロータが高速回転を繰り返す危惧があり、ロータの過度の高速回転を抑制する点を鑑みると、いま一歩改善の余地が残されている。
【０００９】
本発明の目的は、ロータが好ましくない高速回転域に達したことを釣人に知らせることができ、ロータの回転数を実際の釣り状況や魚とのやり取りに適した値に適宜調節できる魚釣用スピニングリールを得ることにある。
【課題を解決するための手段】
【００１０】
上記目的を達成するため、本発明の一つの形態に係る魚釣用スピニングリールは、  
釣糸を巻き付けるスプールを支持するリール本体と、  
上記リール本体に支持され、上記スプールから釣糸を繰り出す方向および上記スプールに釣糸を巻き付ける方向に回転自在なロータと、  
上記ロータが予め決められた回転数を上回る高速回転域に達した時に警報を発する警報発生手段と、を備えていることを特徴としている。
【発明の効果】
【００１１】
本発明によれば、実際に釣りをしている時に、釣人は警報を基にロータの回転数が好ましくない高速回転域に達したことを知ることができる。このため、釣人はロータが高速回転域に達した状況や理由を直ちに認識することができ、ロータの回転数を実際の釣り状況や魚とのやり取りに適した値に適宜調節できるとともに、ロータの回転数が再び高速回転域に達するのを回避することができる。
【発明を実施するための最良の形態】
【００１２】
以下本発明の第１の実施の形態を、図１ないし図４に基づいて説明する。
【００１３】
図１は、魚釣用のスピニングリール１を開示している。スピニングリール１は、リール本体２を備えている。リール本体２は、上向きに延びる脚部３を有している。脚部３の上端に釣竿のリールシートに固定される竿取り付け部４が一体に形成されている。
【００１４】
さらに、リール本体２は、脚部３の下方に位置するギヤボックス５と、このギヤボックス５の前端から前方に向けて突出する円筒部６とを備えている。ギヤボックス５と円筒部６との間は、隔壁７によって仕切られている。
【００１５】
リール本体２のギヤボックス５にハンドル軸９が回転自在に支持されている。ハンドル軸９は、円筒部６と直交するように水平に配置されており、このハンドル軸９の上にドライブギヤ１０が固定されている。ドライブギヤ１０は、ギヤボックス５に収容されている。ハンドル軸１０の一端にハンドル１１が連結されている。ハンドル１１は、釣人が釣糸を巻き取る際に操作するためのものであり、リール本体２の側方に露出している。
【００１６】
図１に示すように、円筒部６の内側に回転軸筒１２が同軸状に挿通されている。回転軸筒１２は、ボール軸受１３を介してリール本体２の隔壁７に回転自在に支持されている。回転軸筒１２の前部は、円筒部６の前端からリール本体２の前方に突出している。
【００１７】
回転軸筒１２の前部にロータ１４が取り付けられている。ロータ１４は、回転軸筒１２が貫通するロータボス１５と、ロータボス１５を同軸状に取り囲む円筒状のロータ本体１６と、ロータボス１５とロータ本体１６との間に跨る前端壁１７とを有している。ロータボス１５は、回転軸筒１２に対し回り止めされているとともに、ロックナット１８を介して回転軸筒１２の上に固定されている。
【００１８】
この固定により、ロータ１４が回転軸筒１２と一体に回転するとともに、ロータ本体１６がリール本体２の円筒部６を外側から同軸状に取り囲んでいる。
【００１９】
図１に示すように、ロータ１４は、一対のアーム部１９ａ，１９ｂを有している。アーム部１９ａ，１９ｂは、ロータ本体１６の後端からリール本体２の前方に向けて延びるとともに、ロータ本体１６を間に挟んでロータ１４の径方向に互いに向かい合っている。
【００２０】
アーム部１９ａ，１９ｂの先端の間にベール２０が反転可能に支持されている。ベール２０の一端部は、一方のアーム部１９ａの先端に設けた釣糸案内部２１に取り付けられている。
【００２１】
回転軸筒１２の後部は、隔壁７を貫通してギヤボックス５の内部に導かれている。回転軸筒１２の後部にピニオンギヤ２２が形成されている。ピニオンギヤ２２は、ギヤボックス５の内部でドライブギヤ１０と噛み合っている。
【００２２】
釣人が手でハンドル１１を回すと、ハンドル１１の回転運動がハンドル軸９、ドライブギヤ１０、ピニオンギヤ２２を介して回転軸筒１２に伝わり、回転軸筒１２がハンドル１１の操作に追従して回転する。これにより、回転軸筒１２に直結されたロータ１４が釣糸を巻き取る方向に回転する。
【００２３】
図１に示すように、回転軸筒１２の内側にスプール軸２４が同軸状に挿通されている。スプール軸２４は、軸方向に直線的に往復動可能にリール本体２のギヤボックス５に支持されている。スプール軸２４の前部は、ロータ１４の前方に突出している。スプール軸２４の後部は、ピニオンギヤ２２を貫通してギヤボックス５の内部に導かれている。
【００２４】
スプール軸２４の前部にスプール２５が固定されている。スプール２５は、スカート部２５ａと巻胴部２５ｂとを有している。スカート部２５ａおよび巻胴部２５ｂは、夫々円筒状をなしている。
【００２５】
スカート部２５ａは、ロータ本体１６を外側から同軸状に覆っており、このスカート部２５ａの外周面に沿ってロータ１４のアーム部１９ａ，１９ｂが回転するようになっている。巻胴部２５ｂは、釣糸案内部２１によって案内された釣糸を巻き付けるためのもので、スカート部２５ａの前端からリール本体２の前方に向けて突出している。
【００２６】
図１に示すように、リール本体２のギヤボックス５の内部にオシレート機構２６が収容されている。オシレート機構２６は、ハンドル１１の回転運動を往復直線運動に変換してスプール軸２４に伝達する。そのため、ハンドル１１の操作によりロータ１４が回転すると、これに同期してスプール２５がスプール軸２４と一緒に軸方向に直線的に往復動するようになっている。
【００２７】
図１に示すように、スピリングリール１は、スプール２５から釣糸が繰り出される時に、ロータ１４が釣糸を巻き取る方向とは逆方向に回転するのを防ぐストッパー機構２８を装備している。ストッパー機構２８は、ラチェット車２９、ストッパー爪３０および切換えレバー３１を備えている。
【００２８】
ラチェット車２９は、ハンドル軸９の外周面上に固定されてハンドル軸９と一緒に回転する。ストッパー爪３０は、リール本体２に支持されている。ストッパー爪３０は、その爪先がラチェット車２９に引っ掛かる係合位置と、爪先がラチェット車２９から離脱する係合解除位置との間で回動可能であるとともに、図示しないスプリングを介して常に係合位置に向けて付勢されている。
【００２９】
切換えレバー３１は、ストッパー爪３０を係合位置又は係合解除位置に切り換えるためのものであり、リール本体２に支持されている。切換えレバー３１は、リール本体２の後端部に露出する操作部３２を有している。この操作部３２を釣人が手で操作することにより、ストッパー爪３０を係合位置又は係合解除位置のいずれかに切り換えることができる。
【００３０】
ストッパー爪３０が係合位置にある限り、ストッパー爪３０は、ラチェット車２９と協働してロータ１４が釣糸を繰り出す方向に逆回転するのを防ぐとともに、ロータ１４が釣糸を巻き取る方向に正回転するのを妨げない。ストッパー爪３０が係合解除位置に回動された状態では、ロータ１４は、正方向および逆方向の双方向に自由に回転することができる。
【００３１】
図１に示すように、スピニングリール１は、ロータ１４が釣糸を繰り出す方向に逆回転している時に、ロータ１４に制動力を付加する摩擦制動装置３５を装備している。摩擦制動装置３５は、制動リング３６、回転円盤３７および操作レバー３８を備えている。
【００３２】
制動リング３６は、リール本体２の円筒部６の内面に固定されて、この円筒部６の内面から径方向内側に向けて張り出している。回転円盤３７は、回転軸筒１２が貫通するボス部３９を有している。ボス部３９と回転軸筒１２との間に一方向クラッチ４０が介在されている。一方向クラッチ４０は、ロータ１４が逆回転した時に、回転軸筒１２から回転円盤３７に向うトルクの伝達を許容するためのものである。言い換えると、一方向クラッチ４０は、ロータ１４が正回転している限り、回転軸筒１２から回転円盤３７に向うトルクの伝達を遮断する。
【００３３】
回転円盤３７は、一方向クラッチ４０の外周面上に支持されて、上記制動リング３６と向かい合っている。制動リング３６と回転円盤３７との間には、僅かな隙間が形成されている。
【００３４】
操作レバー３８は、一端に指掛け部４１を有するとともに、他端に押圧部材４２を有している。操作レバー３８は、一端と他端との間の中間部が枢軸４４を介して脚部３に回動可能に支持されている。指掛け部４１は、スピニングリール１の脚部３から前方に延出されて、釣竿のリールシートの真下に位置している。押圧部材４２は、操作レバー３８の他端にねじ４３を介して固定されている。押圧部材４２の先端４２ａは、リール本体２の円筒部６の内側に導入されて、回転円盤３７に対し後方から向かい合っている。
【００３５】
さらに、操作レバー３８の他端は、スプリング４５を介してリール本体２の後方に向けて付勢されている。このため、操作レバー３８に固定された押圧部材４２は、その先端４２ａが回転円盤３７から離れた位置に保持されている。
【００３６】
釣人が手の指先で操作レバー３８の指掛け部４１を引き上げると、操作レバー３８が枢軸４４を中心に時計回り方向に回動する。この回動により、押圧部材４２の先端４２ａが回転円盤３７に突き当たり、回転円盤３７を制動リング３６に向けて押圧する。この結果、回転円盤３７が制動リング３６に押し付けられて、これら両者の接触部分に摩擦制動力が発生する。よって、逆方向に回転するロータ１４に制動力が付加され、ロータ１４の回転数が下がる。
【００３７】
図１ないし図４に示すように、スピニングリール１は、警報発生手段５０を備えている。警報発生手段５０は、ロータ１４が予め決められた回転数、例えば７０００rpmを上回るような回転数で逆回転していることを音で釣人に知らせるためのものであり、以下この警報発生手段５０について説明する。
【００３８】
警報発生手段５０は、ピン状の一本の移動部材５１を備えている。移動部材５１は、ロータ本体１６の周壁に開けた貫通孔５２をロータ本体１６の径方向に貫通している。移動部材５１は、半球状の頭部５３を有する一端と、この一端の反対側に位置する他端とを有している。
【００３９】
頭部５３は、ロータ本体１６とスプール２５のスカート部２５ａとの間の隙間に位置するとともに、スカート部２５ａの内周面と向かい合っている。移動部材５１の他端は、ロータ本体１６の内側に位置するとともに、この他端にスプリングリテーナ５４が取り付けられている。スプリングリテーナ５４とロータ本体１６の内周面との間に圧職コイルスプリング５５が介在されている。圧縮コイルスプリング５５は、移動部材５１を取り囲むとともに、移動部材５１の頭部５３がスカート部２５ａの内周面から遠ざかる方向に移動部材５１を弾性的に付勢している。
【００４０】
スカート部２５ａの内周面に複数の突起５６が形成されている。図２および図４に示すように、突起５６は、スカート部２５ａの周方向に間隔を存して配置されているとともに、その外周面が円弧状に湾曲されている。隣り合う突起５６の間隔Ｓは、移動部材５１の頭部５３の直径と同等もしくはやや大きく形成されている。
【００４１】
本実施の形態によると、突起５６は、スプール２５の軸方向に沿って直線状に延びており、スプール２５が軸方向に移動した場合でも、必ず移動部材５１の頭部５３と向かい合うようになっている。
【００４２】
ロータ１４が釣糸を繰り出す方向に逆回転すると、移動部材５１にロータ１４の回転に伴う遠心力が作用する。遠心力は、ロータ１４の回転数の上昇に比例して増大するので、本実施の形態では、ロータ１４の回転数が予め決められた値、例えば７０００rpmを上回った時に、移動部材５４に作用する遠心力が圧縮コイルスプリング５５の付勢力に打ち勝つような設定となっている。
【００４３】
移動部材５４に作用する遠心力が圧縮コイルスプリング５５の付勢力に打ち勝つと、図４に二点鎖線で示すように、移動部材５１がスカート部２５ａの内周面に向けて進出し、移動部材５１の頭部５３が突起５６に突き当たる。
【００４４】
この際、移動部材５１が取り付けられたロータ本体１６と、スプール２５のスカート部２５ａとは相対的に回転しているので、移動部材５１の頭部５３が突起５６を次々と乗り越えていく。これにより、頭部５３と突起５６との接触に伴う連続的な打撃音が発生し、この打撃音がロータ１４の回転数が高すぎることを示す警告音となって釣人の耳に届くことになる。
【００４５】
さらに、上記構成によると、移動部材５１の頭部５３が突起５６を乗り越える時に生じる細かい振動がリール本体２を通じて釣竿に伝わる。このため、釣りの最中にロータ１４の回転数が高くなり過ぎると、釣竿を把持する手に振動が付与される。したがって、釣人は、スピニングリール１から釣竿に伝わる振動によってもロータ１４の回転数が高速回転域に達したことを知ることができる。
【００４６】
このような本発明の第１の実施の形態によると、ロータ１４の逆回転を可能とした状態で、操作レバー３８およびハンドル１１を操作すれば、釣糸の繰り出し操作と釣糸の巻き取り操作を繰り返しながら、魚を誘う等の操作を行なうことができる。
【００４７】
魚とやり取りをしている最中に、ロータ１４が急激に逆回転し、このロータ１４の回転数が７０００rpmを上回るような状態に陥ると、移動部材５１の頭部５３とスカート部２５ａの突起５６との接触に基づく打撃音および振動が発生する。
【００４８】
このため、釣人は打撃音や振動を基にロータ１４の回転数が好ましくない高速回転域に達したことを知ることができる。したがって、釣人は、ロータ１４が高速回転域に達した状況や理由を直ちに認識することができ、例えばスピニングリール１の操作レバー３８を手で握ってロータ１４に制動力を付加したり、あるいは釣竿を倒す等の動作に移ることができる。
【００４９】
よって、ロータ１４の回転数を実際の釣り状況や魚とのやり取りに適した値に調節することができる。
【００５０】
それとともに、ロータ１４の回転数が再び高速回転域に達するのを回避でき、ロータ１４のアーム部１９ａ，１９ｂに加わる負荷を軽減してアーム部１９ａ，１９ｂの損傷を未然に防止できる利点がある。
【００５１】
なお、本発明は上記第１の実施の形態に特定されるものではなく、発明の主旨を逸脱しない範囲内で種々変形して実施可能である。
【００５２】
例えば、ロータの遠心力を受けて移動する移動部材は一つに限らず、複数の移動部材をロータに対し放射状に配置してもよい。この構成によれば、打撃音や振動を発する箇所が増えるので、ロータが高速回転域に達したことを示す打撃音および振動が共に大きくなる。この結果、釣人はロータが好ましくない回転状況にあることを確実に認識することができる。
【００５３】
図５および図６は、本発明の第２の実施の形態を開示している。
【００５４】
この第２の実施の形態は、警報発生手段６０の構成が上記第１の実施の形態と相違している。これ以外のスピニングリール１の基本的な構成は、第１の実施の形態と同様である。そのため、第２の実施の形態において、第１の実施の形態と同一の構成部分には同一の参照符号を付して、その説明を省略する。
【００５５】
図５および図６に示すように、警報発生手段６０は、ロータボス１５の外周面とリール本体２の円筒部６の内周面との間に収容されている。警報発生手段６０は、ロータボス１５の外周面の上に位置するリング状のホルダ６１を有している。ホルダ６１は、ロータボス１５に回り止めした状態で固定されて、ロータ１４と一緒に回転するようになっている。
【００５６】
ホルダ６１の外周面に凸部６２が形成されている。凸部６２に円筒状のガイド６３が固定されている。ガイド６３は、ホルダ６１の外周面から径方向外側に向けて突出しており、その先端開口６３ａが円筒部６の内周面と向かい合っている。
【００５７】
ガイド６３の内側に引張りコイルスプリング６４を介して球体６５が収容されている。引張りコイルスプリング６４は、凸部６２の先端と球体６５との間に架け渡されている。球体６５は、移動部材の一例であり、引張りコイルスプリング６４を介してガイド６３の先端開口６３ａに弾性的に保持されている。
【００５８】
リール本体２の円筒部６の内周面に複数の突起６６が形成されている。図６に示すように、突起６６は、円筒部６の周方向に間隔を存して配置されているとともに、円筒部６の内側に向けて山形状に尖る断面形状を有している。
【００５９】
ロータ１４が釣糸を繰り出す方向に逆回転すると、ホルダ６１およびガイド６３がロータボス１５と一緒に回転する。このため、ガイド６３の先端開口６３ａに保持された球体６５にロータ１４の回転に伴う遠心力が作用する。遠心力は、ロータ１４の回転数の上昇に比例して増大するので、本実施の形態では、ロータ１４の回転数が予め決められた値、例えば７０００rpmを上回った時に、球体６５に作用する遠心力が引張りコイルスプリング６４の付勢力に打ち勝つような設定となっている。
【００６０】
球体６５に作用する遠心力が引張りコイルスプリング６４の付勢力に打ち勝つと、図６に二点鎖線で示すように、球体６５がガイド６３の先端開口６３ａから円筒部６の内周面に向けて進出し、円筒部６の内周面上の突起６６に突き当たる。
【００６１】
この際、球体６５が保持されたホルダ６１と、リール本体２の円筒部６とは相対的に回転しているので、球体６５が突起６６を次々と乗り越えていく。これにより、球体６５と突起６６との接触に伴う連続的な打撃音や振動が発生する。
【００６２】
このような第２の実施の形態においても、釣人は打撃音や振動を基にロータ１４の回転数が好ましくない高速回転域に達したことを知ることができる。したがって、釣人は、ロータ１４の回転数を低下させる操作に直ちに移行することができ、上記第１の実施の形態と同様の効果を得ることができる。
【００６３】
なお、第２の実施の形態において、例えばホルダの外周面から複数のガイドを放射状に突出し、各ガイドの先端開口に球体を保持するようにしてよい。この構成によれば、打撃音や振動を発する箇所が増えるので、ロータが高速回転域に達したことを示す打撃音および振動が共に大きくなり、釣人はロータが好ましくない回転状況にあることを確実に認識することができる。
【００６４】
図７および図８は、本発明の第３の実施の形態を開示している。
【００６５】
この第３の実施の形態は、警報発生手段７０の構成が上記第２の実施の形態と相違している。これ以外のスピニングリール１の基本的な構成は、第２の実施の形態と同様である。そのため、第３の実施の形態において、第２の実施の形態と同一の構成部分には同一の参照符号を付して、その説明を省略する。
【００６６】
図７および図８に示すように、警報発生手段７０は、ロータボス１５の外周面とリール本体２の円筒部６の内周面との間に収容されている。警報発生手段７０は、ロータ１４の前端壁１７から円筒部６の内側に向けて突出する支持ピン７１を備えている。支持ピン７１の突出端は、ホルダ６１の凸部６２と円筒部６の内周面との間に位置している。
【００６７】
支持ピン７１の突出端部に揺動レバー７２の一端が回動可能に支持されている。揺動レバー７２は、回転軸筒１２と直交するように水平に延びている。揺動レバー７２の他端に球体７３が形成されている。球体７３は移動部材の一例であり、揺動レバー７２の一端を支点として円筒部６の内周面に形成された突起６６に近づいたり遠ざかる方向に移動可能となっている。
【００６８】
揺動レバー７２の中間部とホルダ６１の凸部６２との間に引張りコイルスプリング７４が架け渡されている。引張りコイルスプリング７４は、球体７３が円筒部６の内周面から遠ざかる方向に揺動レバー７２を弾性的に付勢している。これにより、球体７３がロータ１４の前端壁１７から突出するストッパー壁７５に突き当たり、このストッパー壁７５の上に弾性的に保持されている。
【００６９】
ロータ１４が釣糸を繰り出す方向に逆回転すると、ホルダ６１および支持ピン７１がロータ１４と一緒に回転する。このため、支持ピン７１に支持された揺動レバー７２にロータ１４の回転に伴う遠心力が作用する。遠心力は、ロータ１４の回転数の上昇に比例して増大するので、本実施の形態では、ロータ１４の回転数が予め決められた値、例えば７０００rpmを上回った時に、揺動レバー７２に作用する遠心力が引張りコイルスプリング７４の付勢力に打ち勝つような設定となっている。
【００７０】
揺動レバー７２に作用する遠心力が引張りコイルスプリング７４の付勢力に打ち勝つと、図８に二点鎖線で示すように、揺動レバー７２が支持ピン７１を支点に円筒部６の内周面に向けて回動する。この回動により、球体７３がストッパー壁７５から離脱するとともに、円筒部６の内周面上の突起６６に突き当たる。
【００７１】
この際、揺動レバー７２を有するロータ１４と、リール本体２の円筒部６とは相対的に回転しているので、球体７３が突起６６を次々と乗り越えていく。これにより、球体７３と突起６６との接触に伴う連続的な打撃音や振動が発生する。
【００７２】
このような第３の実施の形態においても、釣人は打撃音や振動を基にロータ１４の回転数が好ましくない高速回転域に達したことを知ることができる。したがって、釣人は、ロータ１４の回転数を低下させる操作に直ちに移行することができ、上記第１の実施の形態と同様の効果を得ることができる。
【００７３】
なお、第３の実施の形態において、例えばロータの前端壁に複数の支持ピンを形成し、これら支持ピンの先端に夫々球体を有する揺動レバーを回動可能に取り付けるようにしてよい。この構成によれば、打撃音や振動を発する箇所が増えるので、ロータが高速回転域に達したことを示す打撃音や振動が共に大きくなり、釣人はロータが好ましくない回転状況にあることを確実に認識することができる。
【００７４】
図９ないし図１１は、本発明の第４の実施の形態を開示している。
【００７５】
この第４の実施の形態は、警報発生手段８０の構成が上記第１の実施の形態と相違している。これ以外のスピニングリール１の基本的な構成は、第１の実施の形態と同様である。そのため、第４の実施の形態において、第１の実施の形態と同一の構成部分には同一の参照符号を付して、その説明を省略する。
【００７６】
図９および図１０に示すように、警報発生手段８０は、リール本体２の円筒部６の外周面とロータ本体１６の周壁との間に収容されている。警報発生手段８０は、ロータ本体１６の周壁の内周面からロータ本体１６の内側に向けて突出する支持ピン８１を備えている。支持ピン８１の突出端は、円筒部６の外周面と向かい合っている。
【００７７】
支持ピン８１の突出端に揺動レバー８２の中間部が回動可能に支持されている。揺動レバー８２は、移動部材の一例であり、回転軸筒１２と直交するように水平に延びている。揺動レバー８２の一端に凸部８３が形成されている。凸部８３は、揺動レバー８２の一端から円筒部６の外周面に向けて突出するとともに、支持ピン８１を支点として円筒部６の外周面に近づいたり遠ざかる方向に移動可能となっている。
【００７８】
図１１に示すように、揺動レバー８２の一端とロータ本体１６の周壁との間に引張りコイルスプリング８４が架け渡されている。引張りコイルスプリング８４は、凸部８３が円筒部６の外周面から遠ざかる方向に揺動レバー８２を弾性的に付勢している。
【００７９】
円筒部６の外周面に複数の突起８５が形成されている。図１１に示すように、突起８５は、円筒部６の周方向に間隔を存して配置されているとともに、円筒部６の外側に向けて円弧状に湾曲する断面形状を有している。
【００８０】
ロータ１４が釣糸を繰り出す方向に逆回転すると、支持ピン８１がロータ１４と一緒に回転する。このため、支持ピン８１に支持された揺動レバー８２にロータ１４の回転に伴う遠心力が作用する。遠心力は、ロータ１４の回転数の上昇に比例して増大するので、本実施の形態では、ロータ１４の回転数が予め決められた値、例えば７０００rpmを上回った時に、揺動レバー８２に作用する遠心力が引張りコイルスプリング８４の付勢力に打ち勝つような設定となっている。
【００８１】
揺動レバー８２に作用する遠心力が引張りコイルスプリング８４の付勢力に打ち勝つと、図１１に二点鎖線で示すように、揺動レバー８２が支持ピン８１を支点に円筒部６の外周面に向けて回動する。この回動により、揺動レバー８２の凸部８３が円筒部６の外周面上の突起８５に突き当たる。
【００８２】
この際、揺動レバー８２を有するロータ１４と、リール本体２の円筒部６とは相対的に回転しているので、凸部８３が突起８５を次々と乗り越えていく。これにより、凸部８３３と突起８５との接触に伴う連続的な打撃音や振動が発生する。
【００８３】
このような第４の実施の形態においても、釣人は打撃音や振動を基にロータ１４の回転数が好ましくない高速回転域に達したことを知ることができる。したがって、釣人は、ロータ１４の回転数を低下させる操作に直ちに移行することができ、上第１の実施の形態と同様の効果を得ることができる。
【００８４】
なお、第４の実施の形態において、例えばロータ本体の内周面に複数の支持ピンを形成し、これら支持ピンの先端に夫々凸部を有する揺動レバーを回動可能に取り付けるようにしてよい。この構成によれば、打撃音や振動を発する箇所が増えるので、ロータが高速回転域に達したことを示す打撃音や振動が共に大きくなり、釣人はロータが好ましくない回転状況にあることを確実に認識することができる。
【００８５】
さらに、本発明を実施するに当っては、リール本体の円筒部の内側に上記特許文献１に開示された遠心式の摩擦制動装置を収容し、逆回転するリールが高速回転域に達した時に、摩擦制動装置を介してロータに制動力を付加するようにしてもよい。
【００８６】
この場合、警報発生手段が警報音を発した後に摩擦制動装置が作動するように設定すれば、釣人にリールが高速回転域に達したことを知らせつつ、リールに自動的に制動力を付加することができる。このため、釣人は、釣りの最中にロータの回転状況を認識できるとともに、このロータが再び高速回転域に達するのを防止できる。
【００８７】
さらに、遠心式の摩擦制動装置を併用した場合、警報発生手段が頻繁に警報音を発するということは、摩擦制動装置の制動板又はこの制動板が押し付けられる受け部材の摩耗が進んでロータに付加される制動力が低下していることを意味している。
【００８８】
そのため、警報発生手段を利用して摩擦制動装置のメンテナンス時期、制動板および受け部材の交換時期を報知することができる。よって、長期に亘ってスピニングリールの本来の性能を十分に発揮させることができ、使い勝手が良好となる。
【図面の簡単な説明】
【００８９】
【図１】本発明の第１の実施の形態に係る魚釣用スピニングリールの断面図。
【図２】本発明の第１の実施の形態に係る警報発生手段を示すスピニングリールの断面図。
【図３】本発明の第１の実施の形態において、ロータに支持された移動部材とスプールとの位置関係を示す断面図。
【図４】図３のF4-F4線に沿う断面図。
【図５】本発明の第２の実施の形態に係る警報発生手段の構成を示すスピニングリールの断面図。
【図６】図５のF6-F6線に沿う断面図。
【図７】本発明の第３の実施の形態に係る警報発生手段の構成を示すスピニングリールの断面図。
【図８】図７のF8-F8線に沿う断面図。
【図９】本発明の第４の実施の形態に係る警報発生手段の構成を示すスピニングリールの断面図。
【図１０】図９のＦ１０の部分を拡大して示す断面図。
【図１１】図１０のF11-F11線に沿う断面図。
【符号の説明】
【００９０】
２…リール本体、１１…ハンドル、１４…ロータ、２５…スプール、５０，６０，７０，８０…警報発生手段、５１，６５，７３，８２…移動部材（球体、揺動レバー）。
【図１】
2008136397.tif 000003
【図２】
2008136397.tif 000004
【図３】
2008136397.tif 000005
【図４】
2008136397.tif 000006
【図５】
2008136397.tif 000007
【図６】
2008136397.tif 000008
【図７】
2008136397.tif 000009
【図８】
2008136397.tif 000010
【図９】
2008136397.tif 000011
【図１０】
2008136397.tif 000012
【図１１】
2008136397.tif 000013